(57)【要約】【課題】  ユーザの利便性を向上させることができる冷蔵庫を提供する。【解決手段】  冷蔵庫は、本体と、本体に支持される扉と、扉に着脱可能に固定されるハンドルと、を備える。ハンドルは、扉に固定される側に突出するハンドル側固定部を備える。扉は、ハンドル側固定部を挿入可能なように扉の前面に形成されている開口と、開口に挿入されたハンドル側固定部が前面よりも本体側の位置で固定される扉側固定部と、を備える。扉側固定部は、開口に挿入されたハンドル側固定部が挿入される凹部を備え、凹部は、ハンドル側固定部をガイドする扉側ガイド部を備える。ハンドル側固定部が扉側ガイド部にガイドされて移動することによって、ハンドル側固定部が扉側固定部に固定され、ハンドルが扉に固定される。【選択図】図１１
2020016348.tif 000002
【特許請求の範囲】
【請求項１】
冷蔵庫であって、
本体と、
前記本体に支持される扉と、
前記扉に着脱可能に固定されるハンドルと、
を備え、
前記ハンドルは、前記扉に固定される側に突出するハンドル側固定部を備え、
前記扉は、前記ハンドル側固定部を挿入可能なように前記扉の前面に形成されている開口と、前記開口に挿入された前記ハンドル側固定部が前記前面よりも前記本体側の位置で固定される扉側固定部と、を備え、
前記扉側固定部は、前記開口に挿入された前記ハンドル側固定部が挿入される凹部を備え、
前記凹部は、前記ハンドル側固定部をガイドする扉側ガイド部を備え、
前記ハンドル側固定部が前記扉側ガイド部にガイドされて移動することによって、前記ハンドル側固定部が前記扉側固定部に固定され、前記ハンドルが前記扉に固定される、冷蔵庫。
【請求項２】
前記扉側ガイド部は、前記ハンドル側固定部を前記本体の上下方向にガイドし、
前記ハンドル側固定部が前記扉側ガイド部にガイドされて前記本体の下方に移動することによって、前記ハンドル側固定部が前記扉側固定部に固定され、前記ハンドルが前記扉に固定される、請求項１に記載の冷蔵庫。
【請求項３】
前記ハンドルは、弾性変形可能な係止部を備え、
前記係止部は、前記ハンドルが前記扉に固定されたときに前記本体側に変形して前記開口に係止される、請求項１または２に記載の冷蔵庫。
【請求項４】
前記開口は、上側開口部と、前記上側開口部より下側に位置する下側開口部を備え、
前記上側開口部の左右方向の幅が、前記下側開口部の左右方向の幅より大きい、請求項１から３のいずれか一項に記載の冷蔵庫。
【発明の詳細な説明】
【技術分野】
【０００１】
本明細書に開示する技術は、冷蔵庫に関する。
【背景技術】
【０００２】
特許文献１には、本体と、本体に回動可能に支持される扉と、扉に着脱可能に固定されるハンドルと、扉の背後に配した補強板と、を備える冷蔵庫が開示されている。ハンドルと扉の後側に配した補強板とをネジ止めすることで、ハンドルが扉に固定される。
【先行技術文献】
【特許文献】
【０００３】
【特許文献１】特開２０１４−２４０７３５号公報
【発明の概要】
【発明が解決しようとする課題】
【０００４】
特許文献１の冷蔵庫では、ユーザは、ハンドルと扉の後側に配した補強板とをネジ止めすることによって、ハンドルを扉に固定することができる。この場合、ユーザは、ドライバーなどの工具を準備しなければならず、煩わしい。特に、扉の前面より後側（本体側）の位置でネジ止めが行われると、扉の前面より後側（本体側）の位置にドライバーなどの工具を入れなければならず、取付け作業が煩わしくなる。
【０００５】
本明細書では、ユーザの利便性を向上させることができる冷蔵庫を提供する。
【課題を解決するための手段】
【０００６】
本明細書が開示する冷蔵庫は、本体と、前記本体に支持される扉と、前記扉に着脱可能に固定されるハンドルと、を備え、前記ハンドルは、前記扉に固定される側に突出するハンドル側固定部を備え、前記扉は、前記ハンドル側固定部を挿入可能なように前記扉の前面に形成されている開口と、前記開口に挿入された前記ハンドル側固定部が前記前面よりも前記本体側の位置で固定される扉側固定部と、を備え、前記扉側固定部は、前記開口に挿入された前記ハンドル側固定部が挿入される凹部を備え、前記凹部は、前記ハンドル側固定部をガイドする扉側ガイド部を備え、前記ハンドル側固定部が前記扉側ガイド部にガイドされて移動することによって、前記ハンドル側固定部が前記扉側固定部に固定され、前記ハンドルが前記扉に固定されてもよい。
【図面の簡単な説明】
【０００７】
【図１】実施例に係る冷蔵庫２を示す斜視図である。
【図２】実施例に係る冷蔵庫２のハンドル６０が取外されている状態を示す斜視図である。
【図３】実施例に係る冷凍室扉２０を前側から見た斜視図である。
【図４】実施例に係る冷凍室扉２０を後側から見た斜視図である。
【図５】図３の破線Vの拡大図である。
【図６】実施例に係る扉側固定部３０を前側から見た斜視図である。
【図７】実施例に係る扉側固定部３０を後側から見た斜視図である。
【図８】図７の破線VIIIの拡大図である。
【図９】（ａ）は実施例に係るハンドル６０を後側から見た斜視図である。（ｂ）は（ａ）の二点鎖線領域ｂの拡大図である。
【図１０】実施例に係るハンドル６０の取付工程を示す図である（１）。
【図１１】実施例に係るハンドル６０の取付工程を示す図である（２）。
【発明を実施するための形態】
【０００８】
（実施例）
図１、図２を参照して、冷蔵庫２について説明する。冷蔵庫２は本体１０と、冷凍室扉２０と、冷蔵室扉４０と、２個のハンドル６０と、を備える。本体１０は、冷凍室を画定する上側筐体と、冷蔵室を画定する下側筐体と、で構成される。冷凍室扉２０及び冷蔵室扉４０は、本体１０に回動可能に支持されている。２個のハンドル６０は、冷凍室扉２０の前面及び冷蔵室扉４０の前面に着脱可能に取付けられている。
【０００９】
（冷凍室扉２０の構成；図３〜図５）
図３〜図５を参照して、冷凍室扉２０について説明する。図３は、冷凍室扉２０単体を前側から見た図であり、図４は、冷凍室扉２０単体を後側から見た図である。また、図５は、図３の破線V領域の拡大図である。
【００１０】
図３、図４に示すように、冷凍室扉２０は、前板２２ａと、上板２２ｂと、下板２２ｃと、左板２２ｄと、右板２２ｅと、を備えている。上板２２ｂ、下板２２ｃ、左板２２ｄ、及び、右板２２ｅは、前板２２ａから後方に延びている。図３に示すように、前板２２ａには、２個の開口２４が設けられている。２個の開口２４の左右方向の位置は一致しており、上下方向に離間して配置されている。開口２４は、前板２２ａを前後方向に貫通している。図５に示すように、開口２４は、左右方向の幅の大きさが幅Ｗ１である上側開口部２４ａと、左右方向の幅の大きさが幅Ｗ２である下側開口部２４ｂと、で構成される。幅Ｗ１は、幅Ｗ２よりも大きい。
【００１１】
図４に示すように、前板２２ａの後側には、扉側固定部３０が取付けられている。扉側固定部３０は、前板２２ａの開口２４が形成されている位置に取付けられている。扉側固定部３０は、前板２２ａとは別体に形成されている。扉側固定部３０は、ハンドル６０を冷凍室扉２０に固定するための部材である。
【００１２】
（扉側固定部３０の構成；図６〜図８）
図６〜図８を参照して、扉側固定部３０について説明する。図６は、扉側固定部３０単体を前側から見た図であり、図７は、扉側固定部３０単体を後側から見た図である。図８は、図６のVIII-VIII線の断面図である。
【００１３】
図６、図７に示すように、扉側固定部３０は、当接部３２と、当接部３２から後方に突出する突出部３４と、を備える。図６に示すように、当接部３２の前面の接着領域Ｇ（図６の斜線領域）には、接着テープが貼付されている。当接部３２を前板２２ａの後面に当接させることで、扉側固定部３０が冷凍室扉２０に固定される（図４参照）。
【００１４】
図６に示すように、扉側固定部３０には、冷凍室扉２０の開口２４に対応する形状を有する凹部３６が形成されている。凹部３６は、上側凹部３６ａと、下側凹部３６ｂと、で構成される。上側凹部３６ａの左右方向の幅の大きさは、冷凍室扉２０の開口２４の上側開口部２４ａの左右方向の幅Ｗ１と略一致する。また、下側凹部３６ｂの左右方向の幅の大きさは、開口２４の下側開口部２４ｂの左右方向の幅Ｗ２と略一致する。上側凹部３６ａの左右方向の側面は、当接部３２の前面３２ａよりも前方側に突出している。
【００１５】
続いて、下側凹部３６ｂの左右側に形成される側壁３８について説明する。図８に示すように、側壁３８は、当接部３２から後方に延伸している。側壁３８の後面は、第１傾斜面３８ａと、第２傾斜面３８ｂと、で構成される。各傾斜面３８ａ、３８ｂは、上方から下方に向かうにつれて、後方側に傾斜している。第１傾斜面３８ａの傾斜角度は、第２傾斜面３８ｂの傾斜角度よりも大きい。傾斜面３８ａ、３８ｂによって、ガイド溝３９が画定される。
【００１６】
なお、冷蔵室扉４０は、開口４４が形成されている位置が異なる点を除いて、冷凍室扉２０と同様の構造である。
【００１７】
（ハンドル６０の構成；図９、図１０）
続いて、図９を参照して、ハンドル６０について説明する。図９（ａ）は、ハンドル６０単体を後側から見た図であり、図９（ｂ）は、図９（ａ）の二点鎖線領域ｂの拡大図である。ハンドル６０は、ユーザによって把持される把持部６２と、上側の突出部７２と、下側の突出部９２と、を備える。また、ハンドル６０は、ストッパ部７４と、上側ハンドル側固定部７６と、下側ハンドル側固定部９６と、を備える。ハンドル６０の内部は、空洞である。
【００１８】
図９（ａ）、図９（ｂ）に示すように、突出部７２は、把持部６２から後方に突出する。上側ハンドル側固定部７６は、突出部７２から後方に突出する。ストッパ部７４と上側ハンドル側固定部７６は、上下方向に離間して配置されている。図９（ｂ）に示すように、ストッパ７４部は、弾性部７４ａと、弾性部７４ａの下端から後方に延びる後方延伸部７４ｂと、を備える。後方延伸部７４ｂは、突出部７２の後面７２ａよりも後方に突出している。弾性部７４ａの左右両側において、突出部７２との間には隙間が設けられている。また、後方延伸部７４ｂの下方側において、突出部７２との間には隙間が設けられている。このため、ストッパ部７４は、突出部７２に対して、前後方向に弾性変形が可能である。
【００１９】
図９（ｂ）に示すように、上側ハンドル側固定部７６は、第１後方延伸部７８と、第２後方延伸部８０と、左方延伸部８２と、右方延伸部８４と、を備える。第１後方延伸部７８及び第２後方延伸部８０は、突出部７２の後面７２ａから後方に延びている。第１後方延伸部７８の左右方向の長さは、第２後方延伸部８０の左右方向の長さよりも長い。左方延伸部８２は、第２後方延伸部８０の上端から左方に延びており、右方延伸部８４は、第２後方延伸部８０の上端から右方に延びている。左方延伸部８２の左端の位置は、第１後方延伸部７８の左端の位置と一致する。また、右方延伸部８４の右端の位置は、第１後方延伸部７８の右端の位置と一致する。左方延伸部８２の前面８２ａは傾斜している。前面８２ａは、上方から下方に向かうにつれて、後方側に傾斜している。従って、左方延伸部８２の前後方向の厚みは、上方から下方に向かうにつれて小さくなっている。なお、前面８２ａの傾斜角度は、扉側固定部３０の側壁３８の第２傾斜面３８ｂの傾斜角度と一致する。第２後方延伸部８０及び左方延伸部８２によって、ガイド溝８６が画定される。なお、右方延伸部８４の前面も、前面８２ａと同様に傾斜している。
【００２０】
下側ハンドル側固定部９６は、突出部９２から後方に突出する。下側の突出部９２、及び、下側ハンドル側固定部９６は、それぞれ、上側の突出部７２、及び、上側ハンドル側固定部７６と同様の構造である。
【００２１】
（ハンドル６０の取付方法）
図１０、図１１を参照して、冷凍室扉２０へのハンドル６０の取付方法について説明する。図１０、図１１は、図１のX-X線及びXI-XI線の断面図である。X-X線及びXI-XI線は、扉側固定部３０の側壁３８（図６参照）を通過する上下方向の線である。冷蔵庫２の出荷段階において、ハンドル６０は、冷凍室扉２０及び冷蔵室扉４０に取付けられていない。冷凍室扉２０及び冷蔵室扉４０には、扉側固定部３０が取付けられている。ハンドル６０は、本体１０とともに発送される。そして、本体１０及びハンドル６０を受け取ったユーザによって、ハンドル６０が冷凍室扉２０及び冷蔵室扉４０に取付けられる。以下では、冷凍室扉２０へのハンドル６０の取付方法について説明する。
【００２２】
まず、図１０（ａ）、（ｂ）に示すように、ユーザは、上側ハンドル側固定部７６を扉側固定部３０の凹部３６の上側凹部３６ａ内に移動させ、下側ハンドル側固定部９６を扉側固定部３０の凹部３６の上側凹部３６ａ内に移動させる。具体的には、ユーザは、上側ハンドル側固定部７６と扉側固定部３０の凹部３６の上側凹部３６ａとを位置合わせするとともに、下側ハンドル側固定部９６と扉側固定部３０の凹部３６の上側凹部３６ａとを位置合わせする。そして、ユーザは、ハンドル６０を冷凍室扉２０に対して後方に移動させる。即ち、ユーザは、上側ハンドル側固定部７６を、前板２２ａの開口２４及び扉側固定部３０の凹部３６の上側凹部３６ａに挿入する。また、ユーザは、下側ハンドル側固定部９６を、開口２４及び扉側固定部３０の凹部３６の上側凹部３６ａに挿入する。ユーザは、ストッパ部７４（詳細には後方延伸部７４ｂ）が前板２２ａの前面に接触するまでハンドル６０を後方に移動させる。これにより、上側ハンドル側固定部７６が扉側固定部３０の上側凹部３６ａ内に位置し、上側ハンドル側固定部７６の左方延伸部８２及び右方延伸部８４が、扉側固定部３０のガイド溝３９の上方に位置するようになる（図１０（ａ）、（ｂ）参照）。この状態において、ストッパ部７４の弾性部７４ａは、前方側に弾性変形している。
【００２３】
次いで、図１１（ａ）、（ｂ）に示すように、ユーザは、上側ハンドル側固定部７６を扉側固定部３０の下側凹部３６ｂ及びガイド溝３９内に移動させ、下側ハンドル側固定部９６を扉側固定部３０の下側凹部３６ｂ及びガイド溝３９内に移動させる。具体的には、ユーザは、図１０の状態からハンドル６０を冷凍室扉２０に対して下方に移動させる。ハンドル６０を下方に移動させると、上側ハンドル側固定部７６の左方延伸部８２及び右方延伸部８４が扉側固定部３０のガイド溝３９内に移動するとともに、上側ハンドル側固定部７６の第２後方延伸部８０が扉側固定部３０の下側凹部３６ｂ内に移動する。そして、左方延伸部８２及び右方延伸部８４がガイド溝３９内に嵌ると、冷凍室扉２０に対するハンドル６０の移動が完了する。上側ハンドル側固定部７６を扉側固定部３０の下側凹部３６ｂ及びガイド溝３９内に移動する過程において、ストッパ部７４の弾性部７４ａが上側凹部３６ａの上端よりも下方に移動する。この時点において、弾性部７４ａの弾性変形が回復する。即ち、弾性部７４ａが、後方側に移動する。これにより、弾性部７４ａの上端と上側凹部３６ａの上端とが接触するようになり、ストッパ部７４が上側凹部３６ａ及び開口２４に係止される。なお、上側ハンドル側固定部７６と同様に、下側ハンドル側固定部９６も扉側固定部３０の下側凹部３６ｂ及びガイド溝３９内に移動する。以上により、ハンドル６０の冷凍室扉２０への取付けが完了する。
【００２４】
図１１の状態において、上側ハンドル側固定部７６が下側凹部３６ｂのガイド溝３９に嵌っているために、ハンドル６０の左右方向及び前後方向の動きが制限される。また、ストッパ部７４によって、ハンドル６０の上下方向の移動が制限される。従って、ハンドル６０と冷凍室扉２０とが固定される。このため、ユーザは、ハンドル６０を利用して、冷凍室扉２０を開閉することができる。
【００２５】
なお、ハンドル６０の冷凍室扉２０への取付方法について説明したが、同様の方法で、ハンドル６０を冷蔵室扉４０に取付けることができる。
【００２６】
上記の構成によると、ハンドル６０の上側ハンドル側固定部７６を、冷凍室扉２０の開口２４に挿入し、上側ハンドル側固定部７６が扉側固定部３０に固定されることで、冷凍室扉２０にハンドル６０を固定することができる。即ち、ネジ部材を用いることなく、上側ハンドル側固定部７６と扉側固定部３０とを固定することができる。従って、ユーザは、ドライバー等の工具を準備しなくても、ハンドル６０を冷凍室扉２０に取付けることができる。冷凍室扉２０の前面より後側（本体１０側）の位置にドライバー等の工具を入れなくても上側ハンドル側固定部７６と扉側固定部３０とを連結することができるので、取付け作業が容易になる。この結果、ユーザの利便性を向上させることができる。
【００２７】
また、上側ハンドル側固定部７６を、扉側固定部３０のガイド溝３９内にスライドさせることで、上側ハンドル側固定部７６と扉側固定部３０とを固定することができる。このような構成によると、ユーザは、ハンドル６０を冷凍室扉２０に容易に取付けることができる。
【００２８】
上述のように、冷蔵庫２の出荷段階において、ハンドル６０は、冷凍室扉２０に取付けられていない。このため、例えば、上側ハンドル側固定部７６が冷凍室扉２０の前面よりもハンドル６０側の位置で固定される場合、即ち、扉側固定部３０が冷凍室扉２０の外側に突出している場合、扉側固定部３０が梱包材又はユーザと接触する可能性がある。この場合、扉側固定部３０が破損してしまったり、ユーザが怪我をしてしまう可能性がある。上記の構成では、開口２４に挿入された上側ハンドル側固定部７６が冷凍室扉２０の前面よりもハンドル６０側の位置で固定される。即ち、扉側固定部３０が冷凍室扉２０の外側に突出していない。従って、冷蔵庫２の発送中に、扉側固定部３０が梱包材と接触して破損することを防止することができる。また、ユーザが、扉側固定部３０に接触して怪我をすることも防止することができる。
【００２９】
また、ガイド溝３９内において、上側ハンドル側固定部７６を下方にスライドさせることで、上側ハンドル側固定部７６と扉側固定部３０とを固定することができる。ユーザによるハンドル６０の移動は、上下方向の方が左右方向よりも容易である。従って、ユーザは、ハンドル６０を冷凍室扉２０により容易に取付けることができる。
【００３０】
また、ストッパ部７４の弾性変形を利用して、ストッパ部７４を開口２４に係止させることができる。このような構成によると、ハンドル６０を冷凍室扉２０にしっかりと固定することができる。
【００３１】
また、開口２４において、上側開口部２４ａの左右方向の幅Ｗ１と下側開口部２４ｂの左右方向の幅Ｗ２とは異なる。この場合、上側ハンドル側固定部７６を下側開口部２４ｂに挿入することができない。従って、ユーザが、取付方向を誤ってハンドル６０を冷凍室扉２０に取付けることを防止することができる。
【００３２】
（対応関係）
冷凍室扉２０及び冷蔵室扉４０が、「扉」の一例である。扉側固定部３０のガイド溝３９が、「扉側ガイド部」の一例である。ストッパ部７４が、「係止部」の一例である。
【００３３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。
【００３４】
（第１変形例）扉側固定部３０は、冷凍室扉２０又は冷蔵室扉４０と一体的に形成されていてもよい。
【００３５】
（第２変形例）冷蔵庫２は、本体１０にスライド可能に支持される引出扉を備えていてもよい。本変形例では、引出扉には、扉側固定部３０が取付けられている。従って、引出扉に、ハンドル６０を取付けることができる。
【００３６】
（第３変形例）扉側固定部３０の凹部３６において、ガイド溝３９が、左右方向、又は、左右方向と上下方向の間の斜め方向に形成されていてもよい。即ち、ガイド溝３９は、冷凍室扉２０の前板２２ａ略平行に形成されていればよい。なお、別の変形例では、ガイド溝３９は、前後方向に傾斜していてもよい。
【００３７】
（第４変形例）ハンドル６０の上側ハンドル側固定部７６と、扉側固定部３０とが、接着剤などによって固定されてもよい。即ち、ハンドル６０は、ストッパ部７４を備えていなくてもよい。
【００３８】
（第５変形例）開口２４において、上側開口部２４ａの左右方向の幅Ｗ１と下側開口部２４ｂの左右方向の幅Ｗ２とが一致していてもよい。
【００３９】
これら実施形態やその変形は、発明の範囲や要旨に含まれると同様に、特許請求の範囲に記載された発明とその均等の範囲に含まれるものである。
【符号の説明】
【００４０】
２  ：冷蔵庫
１０：本体
２０：冷凍室扉
２４：開口
３０：扉側固定部
４０：冷蔵室扉
４４：開口
６０：ハンドル
６２：把持部
７２：突出部
７４：ストッパ部
７６：上側ハンドル側固定部
９２：突出部
９６：下側ハンドル側固定部
【図１】
2020016348.tif 000003
【図２】
2020016348.tif 000004
【図３】
2020016348.tif 000005
【図４】
2020016348.tif 000006
【図５】
2020016348.tif 000007
【図６】
2020016348.tif 000008
【図７】
2020016348.tif 000009
【図８】
2020016348.tif 000010
【図９】
2020016348.tif 000011
【図１０】
2020016348.tif 000012
【図１１】
2020016348.tif 000013